(57)【特許請求の範囲】
【請求項１】
撮影したＸ線フィルムを取り付けるためのフィルムハンガーと、前記フィルムハンガーに取り付けたＸ線フィルムの現像、定着、水洗を行うための液体を入れる複数の槽と、前記槽の受け皿となるトレーとからなり、前記フィルムハンガーは、縦横の内寸を前記Ｘ線フィルムの縦横の寸法よりわずかに小さくしたほぼ矩形の枠体と、前記枠体の前面にＸ線フィルムの寸法に応じて取り付けられるＸ線フィルムを取り囲むように複数配置した保持突起と、前記枠体の上方に設けられ前記枠体の横幅より十分長い桿状のハンドル部とからなり、前記保持突起にはＸ線フィルム離脱防止用の頭部の内側に前記頭部より細い挟部を形成し、複数の保持突起の挟部の内側に形成される四角形の寸法を前記Ｘ線フィルムの寸法とほぼ等しくしてあることを特徴とする歯科用Ｘ線フィルム簡易現像器。
【請求項２】
前記槽はほぼ四角形の箱型の槽であり、横幅が前記ハンドル部の長さより短く、横幅方向に対向する上端部に前記ハンドル部を受けるための一定の長さと深さの一対のかぎこみを形成してある請求項１記載の歯科用Ｘ線フィルム簡易現像器。
【請求項３】
縦横の内寸をＸ線フィルムの縦横の寸法よりわずかに小さくしたほぼ矩形の枠体と、前記枠体の前面にＸ線フィルムの寸法に応じて取り付けられるＸ線フィルムを取り囲むように複数配置した保持突起と、前記枠体の上方に設けられ前記枠体の横幅より十分長い桿状のハンドル部とからなり、前記保持突起にはＸ線フィルム離脱防止用の頭部の内側に前記頭部より細い挟部を形成し、複数の保持突起の挟部の内側に形成される四角形の寸法を前記Ｘ線フィルムの寸法とほぼ等しくしてあることを特徴とする簡易現像器用フィルムハンガー。
【請求項４】
前記ハンドル部の一端にはフックが設けられている請求項３記載の簡易現像器用フィルムハンガー。
【発明の詳細な説明】
【０００１】
【産業上の利用分野】
本願発明は、歯科診療において、術中、術直後に撮影したＸ線フィルムを即時現像処理するための簡易現像器、およびその簡易現像器に用いるためのフィルムハンガーに関するものである。
【０００２】
【従来の技術】
近年、歯科診療において、Ｘ線の利用は極めて頻度が高く、日常的にＸ線撮影が行われ、画像診断や画像処理、Ｘ線フィルムの現像処理についても、様々な方法が利用されている。
【０００３】
最近、Ｘ線撮影の頻度の増加に伴い、自動現像器の使用も一般的となり、歯科診療の能率向上に役立っている。しかしながら、通常、一般のＸ線撮影に伴う自動現像器による現像処理は極めて便利で能率的である反面、自動現像は、現像、定着、水洗、乾燥の各段階を自動的に連続処理するため、一定の処理時間を必要とし、意図的に現像処理時間を短縮することができない。
【０００４】
日常、歯科診療において最も多く使用される歯科用標準型Ｘ線フィルムは３ｃｍ×４ｃｍの小型サイズのフィルムであるが、これを自動現像処理すると、機種により異なるが、現像から乾燥まで約３〜５分の時間を要する。
【０００５】
歯科診療においては、処置、手術の途中でＸ線撮影を行い、その結果をフィルム上で確認しつつ次のステップに移るため、術中や術直後のＸ線撮影は臨床歯科医にとって必要かつ有効な手段である。したがって、Ｘ線検査の結果を一刻でも早く確認したい場合は、自動現像以外の即時現像処理が必要となる。
【０００６】
現在、汎用されている即時現像処理方法は種々あるが、よく使用されているものにインスタント現像法がある。これは、ビニール袋にパックされた専用フィルムを使用し、撮影後、ビニール袋内に注射器で吸引した現像定着液を注入したり、容器に入れた現像定着液を加圧注入し、指定された現像定着の時間が経過した後、ビニールパックを破り、フィルムを取り出して、診断後、水洗乾燥する。
【０００７】
この方法は、現像定着時間３０秒と短時間の処理が可能で、暗室や暗箱が不要で、明室処理ができるという長所がある。その反面、注入針の誤刺、針によるフィルム面の傷や、パックから取り出す際に起こりがちな薬液の飛散による衣服や什器備品の汚染、手指、皮膚の汚染やかぶれ等の不快事故は、しばしば経験されるところである。
【０００８】
【発明が解決しようとする課題】
従前より、一般に行われている手現像（マニュアル現像）は、特別な装置を必要とせず最も簡便な方法であるが、上述のインスタント現像と同じような薬液による汚染等の不快事故が起こり得るものである。
【０００９】
特に、マニュアル現像の場合、フィルムを薬液に浸すためにピンセットやクリップ等でフィルムを保持する必要があるが、薬液槽内にフィルムが保持器具から外れて脱落したり、クリップ等のピンチ跡や保持器具による傷は正確な診断の妨げになるばかりでなく、診療資料としての価値を著しく損なうことになる。
【００１０】
本願発明は、簡便かつ迅速なＸ線フィルム現像処理方法として、従前より行われているマニュアル現像法の欠点や問題点を解決し、より安全で確実なものとするための簡易現像器具を開発し提供するものである。
【００１１】
【課題を解決するための手段】
本願の請求項１に係る発明は、撮影したＸ線フィルムを取り付けるためのフィルムハンガーと、フィルムハンガーに取り付けたＸ線フィルムの現像、定着、水洗を行うための液体を入れる複数の槽と、これらの槽の受け皿となるトレーとからなる歯科用Ｘ線フィルム簡易現像器であり、フィルムハンガーが、縦横の内寸をＸ線フィルムの縦横の寸法よりわずかに小さくしたほぼ矩形の枠体と、この枠体の前面にＸ線フィルムを取り囲むように複数配置した保持突起と、枠体の上方に設けられ枠体の横幅より十分長い桿状のハンドル部とからなり、保持突起にＸ線フィルム離脱防止用の頭部とその内側に頭部より細い挟部を形成し、複数の保持突起の挟部の内側に形成される四角形の寸法をＸ線フィルムの寸法とほぼ等しくしてあることを特徴とする。
【００１２】
請求項２は、請求項１の歯科用Ｘ線フィルム簡易現像器について、複数の槽の形態を限定したものであり、槽がほぼ四角形の箱型であり、横幅をフィルムハンガーのハンドル部の長さより短くし、横幅方向に対向する上端部にハンドル部を受けるための一定の長さと深さの一対のかぎこみ（切欠き部）を形成したものである。
【００１３】
請求項３に係る発明は、上述の請求項１の簡易現像器に使用するための簡易現像器用フィルムハンガーであり、縦横の内寸をＸ線フィルムの縦横の寸法よりわずかに小さくしたほぼ矩形の枠体と、枠体の前面にＸ線フィルムの寸法に応じて取り付けられるＸ線フィルムを取り囲むように複数配置した保持突起と、枠体の上方に設けられ枠体の横幅より十分長い桿状のハンドル部とからなり、保持突起にはＸ線フィルム離脱防止用の頭部の内側に頭部より細い挟部を形成し、複数の保持突起の挟部の内側に形成される四角形の寸法を前記Ｘ線フィルムの寸法とほぼ等しくしてあることを特徴とする。
【００１４】
請求項４は請求項３に係るフィルムハンガーにおいて、ハンドル部の一端にフックを設けた場合を限定したものである。
【００１６】
【実施例】
図１〜図４は、それぞれ本願発明の簡易現像器の実施例における使用状態、フィルムハンガーの形態、現像槽等の槽の形態、およびトレーの形態の一例を示したものである。
【００１７】
本実施例における簡易現像器および各部品の構成および特徴は以下の通りである。
【００１８】
（１）  フィルムハンガー（図２参照）
本実施例におけるフィルムハンガー１は合成樹脂を素材とし、合成樹脂製の枠体２とフィルム保持のためのフィルム保持部および捍状のハンドル部４により構成される。ハンドル部４の一端には乾燥等の用に供するためのフック５（フック５部分を引っ掛けて吊るすことができる）を設けている。
【００１９】
▲１▼  フィルム保持部
本実施例におけるフィルム保持部は、ソロバン玉を組み合わせたような形態の頭部３ａと挟部３ｂを有する保持突起３を６〜８個形成し、上下テーパー部の中間の挟部３ｂでフィルムＦを多少のゆとりをもって把持できるようになっている（図１参照）。
【００２０】
歯科用標準型Ｘ線フィルムＦは、合成樹脂製の薄い平板で弾力性に富み、３ｃｍ×４ｃｍに統一されている。フィルムＦをこのフィルム保持部に取り付ける操作は、まず撮影された歯科用標準型Ｘ線フィルムＦを包装から取り出し、フィルム保持部の保持突起３で囲まれた枠体２の中央にフィルムＦを置き、清潔な手指でフィルムＦを軽く押すと、フィルムＦは保持突起３のテーパーにガイドされて挟部３ｂに押し込まれ、フィルムＦの弾力によって挟部３ｂに挟み込まれる。
【００２１】
一旦、挟部３ｂに挟み込まれたフィルムＦは、枠体２の裏側から取付け方向に対し、反対の方向に押し出さないかぎり、保持部から脱離することはない。
【００２２】
このように、本機構は歯科用標準型Ｘ線フィルムＦ自体の持つ弾力性と曲げに対する復元力を利用したものである。したがって、他のフィルム保持器具のようにピンセットで挟んだり、クリップや鉗子でピンチしたりするものと違って、フィルムに傷をつけたり、挟んだ部分が薬液に触れないために生ずる現像むらやフィルムの槽内での脱落を生じることがない。
【００２３】
暗室や暗箱内は、非常に暗いので、手探り状態での操作が多く、本器具のようにフィルムの取付けが簡単で、しかも操作が容易で確実な器具の使用は現像処理作業を楽にするものである。
【００２４】
▲２▼  ハンドル部
枠体２の上部に設けた桿状のハンドル部４は、その両端が左右とも枠体２の両端より長く、現像槽、定着槽、水洗槽の各槽６の幅より長い（図１参照）。そのため、現像処理に際して、フィルムハンガー１は、各槽６の所定の位置にフィルム保持部を中央にして槽６をまたぐように安定した状態で固定され、ハンドル部４両端の延長された端部が槽６の上端からはみ出した状態で、槽６上中央に安定する。
【００２５】
この時、フィルム保持部は、現像槽、定着槽、水洗槽の各槽６内に吊るされた状態になり、フィルム保持部のみが薬液に浸されてハンドル部４には薬液が付着することがない。このため、フィルムハンガー１を現像槽６ａ、定着槽６ｂ、水洗槽６ｃの各槽６（図４（ｂ）  参照）に順次移送する際に、この長めに設定された桿状のハンドル部４を手で持って移送することができるので、手に薬液が付着するのを防止でき、現像処理中にほとんど手を汚すことはない。あるいは、暗室から診療室等へのフィルムの移送や補助者と歯科医師間相互の手渡しに際しても、このハンドル部４の両端に延長された部分を持って手渡しができるので、手の清潔な状態が維持される。
【００２６】
また、現像、定着の操作中、端部を持ち、ハンドル部４の長軸を中心とした回転運動をごく小さく行い、槽６内の薬液を攪拌し、反応を促進したり、現像むらや定着むらを防止することができる。
【００２７】
（２）  現像槽、定着槽および水洗槽（図３参照）
本実施例において、合成樹脂製の各槽６は、同一の形態の概ね四角形の箱型で、横幅は前記ハンドル部４の両端の長さより短く、槽６の中央にフィルム保持部が吊り下げられる。槽６の上端部中央には、ハンドル部４の桿を安定した状態で固定するための一定の長さと深さのかぎこみ７（切欠き部）を形成する。このかぎこみ７は、複数のフィルムを同時処理するため、必要とするフィルムハンガー１の厚みの倍数以上の長さとなる。このかぎこみ７によって、現像処理操作の際、フィルムハンガー１が槽６の中央に正しくガイドされ、常に安定した位置が保たれ、かぎこみ７は暗室や暗箱内での操作の上でも有用なものとなる。
【００２８】
なお、図中、符合１０は槽６の上部に設けたつば部分、１１は槽６の内面に設けた目盛線を表している。
【００２９】
（３）  トレー（図４参照）
トレー８は、現像処理中や、前準備における薬液の滴下や飛散、オーバーフローといった形での液の漏出を受け止める受け皿の役目を有し、作業場所周辺の汚染を防止する。
【００３０】
本実施例におけるトレー８の構造は、合成樹脂製の一般的な形状をしたトレーの底板８ａ上面に、各槽６の底部が位置する部分を取り囲むようにガイド用突起９を必要個数設置したものである。各槽６は、このガイド用突起９に囲まれた位置に納まり、各槽６（６ａ，６ｂ，６ｃ）の位置や間隔を一定に保つことができる。このように、槽６の位置や間隔が常に一定していることは、非常に暗い条件下における暗室や暗箱内での操作を楽にする。
【００３１】
このガイド用突起９は、テーパーの付いた円錐台形で、ブラシ洗浄等の清掃を容易にする。また、このガイド用突起９によって、持ち運びや移動等の急な傾斜や同様にも安定し、槽６の滑りや転覆を防止する。
【００３２】
以上（１）  〜（３）  の各部品を一組の器具として組み合わせて簡易現像器として使用することができ、図１はフィルムハンガー１に歯科用標準Ｘ線フィルムＦを取り付け、現像槽６ａ等の槽６の液体中（現像液、定着液または水洗用の水等）に浸した状態を示したものである。図に示すように、フィルムハンガー１のハンドル部４の桿の両端部が槽６のかぎこみ７間に架け渡された状態で、フィルム保持部が垂下し、槽６の液体中に浸っている。槽６はトレー８の底板９上に載せられており、ガイド用突起９で水平位置が固定されている。
【００３３】
【発明の効果】
▲１▼  本願発明の簡易現像器は、歯科用Ｘ線フィルムの現像において、自動現像器のような特別な装置を必要とせず、即時の現像処理を可能とするものであり、かつ従来のマニュアル現像やインスタント現像における薬液の飛散等による汚染その他の不快事故のない安全、確実な現像処理が可能である。
【００３４】
▲２▼  本願発明の簡易現像器およびフィルムハンガーによれば、Ｘ線フィルムをフィルム自体の弾力性と復元力を利用して簡単に装着することができ、従来のマニュアル現像の場合のようなピンセットやクリップ等によるＸ線フィルムの傷や現像むらが生じず、また薬液槽内に落としたりする恐れもないため、正確な診断を可能とし、診療資料としての価値を損なわせることもない。また、暗室や暗箱内での手探り状態での操作が容易になる。
【００３５】
▲３▼  本願発明の簡易現像器およびフィルムハンガーによれば、フィルム保持部は、現像槽等の各槽内に吊るされた状態になり、フィルム保持部のみが薬液に浸されてハンドル部には薬液が付着することがない。したがって、フィルムハンガーを各槽に順次移送する際に、薬液の付着しないハンドル部を持って移送することができ、現像処理中にほとんど手を汚すことがない。また、暗室から診療室等へのフィルムの移送や補助者と歯科医師間相互の手渡しに際しても、このハンドル部の両端に延長された部分を持って手渡しができるので、手の清潔な状態が維持される。
【図面の簡単な説明】
【図１】本願発明の簡易現像器の一実施例における使用状態を示す正面図（一部切欠き断面図）である。
【図２】請求項２、３に係るフィルムハンガーの一実施例を示したもので、（ａ）  は正面図、（ｂ）  は平面図、（ｃ）  は保持突起部分の拡大側面図である。
【図３】図１の実施例において用いる一つの槽を示したもので、（ａ）  は平面図、（ｂ）  はそのＢ−Ｂ線断面図、（ｃ）  はＣ−Ｃ線断面図である。
【図４】本発明とともに用いることができるトレーの一例を示したもので、(a) はトレーに現像槽等の槽を設置した状態を示す左側面図、(b) は同じく正面図、(c) はトレーのみの平面図である。
【符号の説明】
Ｆ…Ｘ線フィルム、
１…フィルムハンガー、２…枠体、３…保持突起、３ａ…頭部、３ｂ…挟部、４…ハンドル部、５…フック、６…槽、６ａ…現像槽、６ｂ…定着槽、６ｃ…水洗槽、７…かぎこみ、８…トレー、８ａ…底板、９…ガイド用突起、１０…つば、１１…目盛線
【図１】
0003614925.tif 000002
【図２】
0003614925.tif 000003
【図３】
0003614925.tif 000004
【図４】
0003614925.tif 000005